(57)【要約】【課題】撮影装置に設けられた撮像素子等の様々な部材を効率的に清掃でき、操作性に優れた撮影装置用清掃器具を提供する。【解決手段】清掃器具１０は、異物を粘着させる粘着性部材１２と円柱状の本体部１４とを含む。粘着性部材１２の先端には、異物を粘着させるための粘着面１２Ｓが設けられている。粘着面１２Ｓは、半円状の円弧領域と矩形状の矩形領域とを含む。本体部１４の後端部には、粘着面１２Ｓの形状と向きと示す柱形領域１４Ｒが設けられている。柱形領域１４Ｒは、後端面１４Ｓを底面とする柱形状であり、後端面１４Ｓの形状と向きは、粘着面１２Ｓの形状と向きに等しい。このように、柱形領域１４Ｒを設けることにより、被清掃面の周辺が暗い場合等においても、粘着面１２Ｓの形状と向きとがユーザにより容易に把握され、効率的な清掃動作が可能となる。【選択図】図１
2008018142.tif 000002
【特許請求の範囲】
【請求項１】
撮影装置の被清掃面上にある異物を除去する撮影装置用清掃器具であって、
前記異物を粘着させる粘着面を有する粘着性部材と、
前記粘着性部材が先端に取付けられている本体部とを備え、
前記粘着面が円形以外の形状を有し、前記本体部における前記粘着性部材側の反対側の端面である後端面において、前記粘着面の形状と向きとが示されていることを特徴とする撮影装置用清掃器具。
【請求項２】
前記粘着面が、円弧状の輪郭を含む円弧領域と矩形状の矩形領域とを有することを特徴とする請求項１に記載の撮影装置用清掃器具。
【請求項３】
前記粘着面において、前記円弧領域の輪郭における直線部分と、前記矩形領域の辺とが一致することを特徴とする請求項２に記載の撮影装置用清掃器具。
【請求項４】
前記円弧領域が半円状であることを特徴とする請求項２に記載の撮影装置用清掃器具。
【請求項５】
前記粘着面が、前記本体部の延びる方向に対して垂直であることを特徴とする請求項１に記載の撮影装置用清掃器具。
【請求項６】
前記粘着面が、直線の輪郭を含む直線領域を有することを特徴とする請求項１に記載の撮影装置用清掃器具。
【請求項７】
前記粘着面が、円弧状の輪郭を含む円弧領域をさらに有することを特徴とする請求項６に記載の撮影装置用清掃器具。
【請求項８】
前記後端面が、前記粘着面の相似形であり、前記後端面の向きと前記粘着面の向きとが等しいことを特徴とする請求項１に記載の撮影装置用清掃器具。
【請求項９】
前記本体部において、前記後端面を底面とする柱形領域が設けられていることを特徴とする請求項８に記載の撮影装置用清掃器具。
【請求項１０】
前記後端面において、前記粘着面の形状と向きを示す指標が設けられていることを特徴とする請求項１に記載の撮影装置用清掃器具。
【請求項１１】
前記粘着性部材において取付け穴が設けられており、前記本体部が、前記取付け穴に嵌合される突起部を有し、前記取付け穴と前記突起部とが、前記後端面において示されている向きを前記粘着面が向いている状態においてのみ前記粘着性部材を前記本体部に取付け可能とする形状を有することを特徴とする請求項１に記載の撮影装置用清掃器具。
【発明の詳細な説明】
【技術分野】
【０００１】
本発明は、撮影装置用清掃器具に関し、特に、レンズ交換式デジタルカメラ等の部材に付着する異物を取り除く清掃器具に関する。
【背景技術】
【０００２】
近年、レンズ交換式のデジタルカメラが普及しつつある。レンズ交換式デジタルカメラにおいては、レンズ交換等により混入する埃などの異物が、内蔵された撮像素子の表面に付着する場合がある。このため、異物が撮像素子に付着することによる画質の低下を防ぐために、撮像素子表面から異物を取り除くことが必要とされる。また、デジタルカメラ等の撮影装置においては、ファインダ、接眼レンズ等の清掃が必要となることもある。
【０００３】
一方、精密機械、電子部品等の清掃のために用いられる掃除具であって、被清掃面上にある異物を粘着させる粘着性部材を取付けた掃除具が知られている（例えば特許文献１〜６）。
【特許文献１】特開２００５−３３４５２５号公報
【特許文献２】特開２００６−１３４号公報
【特許文献３】特開２００６−６６９０号公報
【特許文献４】登録実用新案第３０２２８４３号公報
【特許文献５】登録実用新案第３０４２０１４号公報
【特許文献６】実開平６−６３１８３号公報
【発明の開示】
【発明が解決しようとする課題】
【０００４】
粘着性部材を用いた従来の掃除具は、必ずしもデジタルカメラ等の撮影装置の清掃を前提としていないため、通常、撮像素子等の清掃には適してはいない。例えば、円柱形の粘着性部材を用いる場合、撮像素子等、矩形状の被清掃面の清掃には不適当である。
【０００５】
一方、撮像素子等の清掃に用いることを前提として掃除具等を用意する場合であっても、撮像素子等とは形状の異なる円形のファインダ窓、接眼レンズ等については、清掃作業が困難である。特にレンズ交換式カメラの場合、撮像素子がカメラ本体の奥に位置しているため、掃除具の使用中は清掃部位が視認できず、清掃作業が困難であるという問題がある。
【０００６】
本発明は、撮影装置に設けられた撮像素子等の様々な部材を効率的に清掃でき、操作性に優れた撮影装置用清掃器具を提供することを目的とする。
【課題を解決するための手段】
【０００７】
本発明の清掃器具は、撮影装置の被清掃面上にある異物を除去する撮影装置用清掃器具であって、異物を粘着させる粘着面を有する粘着性部材と、粘着性部材が先端に取付けられている本体部とを備え、粘着面が円形以外の形状を有し、本体部における粘着性部材側の反対側の端面である後端面において、粘着面の形状と向きとが示されていることを特徴とする。
【０００８】
粘着面は、円弧状の輪郭を含む円弧領域と矩形状の矩形領域とを有することが好ましい。この場合、粘着面において、円弧領域の輪郭における直線部分と、矩形領域の辺とが一致することがより好ましい。また、円弧領域は、例えば半円状である。
【０００９】
粘着面は、本体部の延びる方向に対して垂直であることが望ましい。また、粘着面は、直線の輪郭を含む直線領域を有することが望ましく、この場合、粘着面が、円弧状の輪郭を含む円弧領域をさらに有することがより望ましい。
【００１０】
後端面は、粘着面の相似形であり、後端面の向きと粘着面の向きとが等しいことが好ましい。そしてこの場合、本体部において、後端面を底面とする柱形領域が設けられていることがより好ましい。また、後端面においては、粘着面の形状と向きを示す指標が設けられていることが好ましい。
【００１１】
粘着性部材においては、取付け穴が設けられており、本体部が、取付け穴に嵌合される突起部を有し、取付け穴と突起部とが、後端面において示されている向きを粘着面が向いている状態においてのみ粘着性部材を本体部に取付け可能とする形状を有することが好ましい。
【発明の効果】
【００１２】
本発明によれば、撮影装置に設けられた撮像素子等の様々な部材を効率的に清掃でき、操作性に優れた撮影装置用清掃器具を実現できる。
【発明を実施するための最良の形態】
【００１３】
以下、本発明の実施形態を、図面を参照して説明する。図１は、第１の実施形態の清掃器具を示す斜視図および背面図である。図２は、本実施形態における粘着性部材の粘着面を示す正面図である。図３は、粘着性部材が取外された状態の本実施形態における本体部を示す正面図および側面図である。図４は、本実施形態における粘着性部材の背面図と断面図である。図５は、粘着性部材が取付けられた状態の本実施形態における清掃器具を示す側面図である。
【００１４】
清掃器具１０は、撮像素子、ローパスフィルタ、保護フィルタの受光面、ファインダ、接眼レンズ等（いずれも図示せず）の撮影装置の部材に付着した埃などの異物を除去し、撮像素子等を清掃するために使用される。清掃器具１０は、ブチルゴムで形成され、異物を粘着させる粘着性部材１２と、樹脂等で形成された細長い円柱状の本体部１４とを含む。粘着性部材１２は、本体部１４の先端に取付けられている。
【００１５】
粘着性部材１２の先端には、異物を粘着させるための粘着面１２Ｓが設けられている。粘着面１２Ｓは、矢印Ａの示す本体部１４が延びる方向に対して垂直であり、円弧状の輪郭を含む円弧領域１２Ｃと、円弧領域１２Ｃに隣接する矩形状の矩形領域１２Ｒとを含む（図２参照）。円弧領域１２Ｃは半円状であり、粘着面１２Ｓは、破線で示された円弧領域１２Ｃの輪郭における直線部分と、矩形領域１２Ｒの一辺とが一致する形状を有する。
【００１６】
本体部１４の後端部、すなわち粘着面１２Ｓが取付けられていない端部においては、粘着面１２Ｓの形状と向きと示す柱形領域１４Ｒが設けられている。柱形領域１４Ｒは、後端面１４Ｓを底面とする柱形状であり、後端面１４Ｓの形状と向きは、粘着面１２Ｓの形状と向きに等しい（図１（ｂ）の背面図および図２参照）。すなわち、後端面１４Ｓは粘着面１２Ｓの相似形であって、後端面１４Ｓの輪郭の一部である直線１４Ｌは、粘着面１２Ｓの輪郭における直線１２Ｌと平行である。
【００１７】
このように、粘着面１２Ｓの形状と向きとを示す後端面１４Ｓを含む柱形領域１４Ｒが設けられていることにより、後述するように、粘着面１２Ｓを清掃に適した位置および向きで被清掃面に押し当てる操作が容易になる。
【００１８】
粘着性部材１２には、取付け穴１２Ｈが設けられている（図４（ａ）の正面図および図４（ｂ）の断面図参照）。そして本体部１４の先端には、取付け穴１２Ｈに嵌合される突起部１４Ｐが設けられている（図３（ａ）の正面図および図３（ｂ）の側面図参照）。これらの図から明らかであるように、矢印Ａの示す本体部１４が延びる方向に対して垂直な方向における取付け穴１２Ｈと突起部１４Ｐの断面形状は、いずれもＴ字型である。
【００１９】
このように、取付け穴１２Ｈと突起部１４Ｐとは、粘着性部材１２が、後端面１４Ｓにおいて示されている粘着性部材１２の本来の向きを向いている状態でのみ、本体部１４の取付けを可能にする形状を有している。そして取付け穴１２Ｈと突起部１４Ｐの断面形状がいずれもＴ字型であることから、本体部１４に取付けられた粘着性部材１２が、本体部１４の延びる方向に対して垂直な方向に回転することが防止される。
【００２０】
以上のことから明らかであるように、粘着性部材１２が本体部１４に取付けられる（図５参照）と、粘着性部材１２の本体部１４に対する相対的な位置のずれが防止される。なお、粘着性部材１２においては、粘着性部材１２が本体部１４から容易に脱離してしまうことを防止するために、取付け穴１２Ｈから突出した突出部１２Ｐが設けられている（図４（ｂ）の断面図参照）。突出部１２Ｐは、図５においては省略されている。
【００２１】
図６は、清掃器具１０による清掃の対象となるデジタル一眼レフカメラを示す正面図である。
【００２２】
清掃器具１０は、例えばデジタル一眼レフカメラ（撮影装置）３０の撮像素子ユニットに設けられたローパスフィルタ（以下、ＬＰＦという）３２の清掃に用いられる。この場合、被清掃面であるＬＰＦ３２の表面３２Ｓは矩形状であるので、ＬＰＦ表面３２Ｓの周辺部の清掃においては粘着面１２Ｓの矩形領域１２Ｒが用いられる。
【００２３】
一方、例えばデジタル一眼レフカメラ３０に設けられた円形のファインダ窓（図示せず）の清掃においては、粘着面１２Ｓの円弧領域１２Ｃが主に使用される。以上のように、粘着面１２Ｓにおいて用いられる領域を使い分けることにより、効率的な清掃動作が可能となる。さらに、清掃器具１０の使用時に本体部１４の柱形領域１４Ｒ付近を保持するユーザは、ＬＰＦ表面３２Ｓ等の被清掃面が暗部にあるにも関わらず、柱形領域１４Ｒ、特に後端面１４Ｓを視認することにより粘着性部材１２の向きを容易に把握できる。
【００２４】
以上のように本実施形態によれば、円弧領域１２Ｃと矩形領域１２Ｒとを有し、輪郭が円形ではない粘着面１２Ｓを設け、さらに後端面１４Ｓにおいて粘着面１２Ｓの形状と向きを示すことにより、清掃器具１０は操作性に優れており、デジタル一眼レフカメラ３０に設けられた様々な部材を効率的に清掃できる。さらに、突出部１２Ｐ等により、本体部１４から粘着性部材１２が脱離することは防止され、粘着性部材１２が脱離した場合にあっても、清掃に適した所定の向きで粘着性部材１２を本体部１４に取付けることが容易に可能である。
【００２５】
図７は、本体部１４の一部が変形された本実施形態の清掃器具１０を示す斜視図および背面図である。
【００２６】
粘着性部材１２、本体部１４等の形状は上述のものに限定されない。例えば、粘着面１２Ｓの形状と向きとを示すために柱形領域１４Ｒが設けられていることが好ましいものの、柱形領域１４Ｒを設けず、後端面１４Ｓにおいて粘着面１２Ｓの形状と向きを示すマーク（指標）１６のみが設けられていても良い。この場合、例えば、マーク１６の輪郭の直線１６Ｌが粘着面１２の直線１２Ｌと平行であることにより、粘着面１２Ｓの向きが示される。本変形例のように、柱形領域１４Ｒの代わりにマーク１６を設けることにより、本体部１４の構造を簡素化することができる。
【００２７】
図８は、粘着性部材１２が取外された状態の第２の実施形態における本体部１４を示す正面図および側面図である。図９は、本実施形態における粘着性部材１２の背面図と断面図である。図１０は、粘着性部材１２が取外された状態の第３の実施形態における本体部１４を示す正面図および側面図である。図１１は、本実施形態における粘着性部材１２の背面図と断面図である。なお、図８以下の図面においては、清掃器具１０の構成要素のうち、第１の実施形態と同一もしくは対応するものについては、第１の実施形態と同じ符号が付されている。
【００２８】
第２および第３の実施形態においては、粘着性部材１２の形状が第１の実施形態とは異なる。すなわち、第２および第３の実施形態の粘着面１２Ｓは、円弧状の輪郭を含む円弧領域を有し、矩形状の矩形領域を含まない。しかしながら、第２および第３の実施形態におけるいずれの粘着面１２Ｓにおいても、粘着面１２Ｓの輪郭の一部として直線１２Ｌが含まれている。
【００２９】
このように、円弧領域とともに直線１２Ｌ近傍の直線領域が粘着面１２Ｓに含まれているため、第１の実施形態と同様に、矩形状の被清掃面であるＬＰＦ表面３２Ｓ等、および円形の被清掃面であるファインダ窓等のいずれに対しても、効率的な清掃動作が可能である。
【００３０】
さらに、これらの実施形態においても、柱形領域１４Ｒの断面は粘着面１２Ｓの相似形であり、後端面１４Ｓの輪郭の一部である直線１４Ｌと粘着面１２Ｓの輪郭の直線１２Ｌとは平行である。このように、第１の実施形態と同様に、粘着面１２Ｓの形状と向きが本体部１４の後端側で示されている。さらに、取付け穴１２Ｈと突起部１４Ｐの断面形状がいずれもＴ字型である（図８（ａ）の正面図および図９（ａ）の背面図、図１０（ａ）の正面図および図１１（ａ）の背面図参照）ため、本体部１４に取付けられた粘着性部材１２の位置ずれが防止される。
【００３１】
以上のことから明らかであるように、第２および第３の実施形態においても、被清掃面の形状に応じて粘着面１２Ｓの向きを調整しながら清掃することが可能であり、周辺部が暗いＬＰＦ表面３２Ｓ等の清掃に用いられる場合においても、清掃器具１０の操作性は良好である。
【００３２】
図１２は、粘着性部材１２が取外された状態の第４の実施形態における本体部１４を示す正面図および側面図である。図１３は、本実施形態における粘着性部材１２の背面図と断面図である。図１４は、粘着性部材１２が取外された状態の第５の実施形態における本体部１４を示す正面図および側面図であり、図１５は、本実施形態における粘着性部材１２の背面図と断面図である。
【００３３】
第４および第５の実施形態においては、粘着性部材１２の形状がこれまでの実施形態とは異なる。すなわち、第４および第５の実施形態の粘着面１２Ｓは、円弧状の輪郭を含まず、円弧領域を有していない。そして粘着面１２Ｓの輪郭は直線のみによって形成されている。
【００３４】
このため、第４および第５の実施形態の粘着面１２Ｓは、輪郭が円形の被清掃面の清掃には、これまでの実施形態における清掃器具１０ほどには適していないものの、デジタル一眼レフカメラ３０において最も異物の付着が問題となり易く、清掃の必要性が高いＬＰＦ表面３２Ｓなど、矩形状の被清掃面の清掃に適している。
【００３５】
さらに、これらの実施形態においても、柱形領域１４Ｒの断面は粘着面１２Ｓの相似形であり、後端面１４Ｓの輪郭の直線１４Ｌと、粘着面１２Ｓの輪郭の直線１２Ｌとのうち、互いに対応するもの同士はそれぞれ平行である。このように、これらの実施形態においてもこれまでの実施形態と同様に、粘着面１２Ｓの形状と向きが本体部１４の後端側で示されている。さらに、断面形状がいずれもＴ字型である取付け穴１２Ｈと突起部１４Ｐ（図１２（ａ）の正面図および図１３（ａ）の背面図、図１４（ａ）の正面図および図１５（ａ）の背面図参照）により、粘着性部材１２の位置ずれが防止される。
【００３６】
以上のことから明らかであるように、第４および第５の実施形態においては、特に矩形状の被清掃面の効率的な清掃が可能であり、被清掃面の周辺が暗い場合等にあっても、粘着面１２Ｓの向きを容易に調整することができる。
【００３７】
図１６は、粘着性部材が取外された状態の従来例の本体部を示す正面図および側面図である。図１７は、本実施形態における粘着性部材１２の背面図と断面図である。図１８は、粘着性部材が取付けられた状態の従来例の清掃器具を示す側面図である。
【００３８】
従来例の清掃器具２０においては、円柱形の粘着性部材２２が本体部２４に取付けられている。従って、粘着面２２Ｓは円形であり、矩形状のＬＰＦ表面３２Ｓ（図６参照）の周辺部等を清掃する場合においては、上述の実施形態における清掃器具１０とは異なり、異物を除去する操作は困難である。
【００３９】
また、粘着面２２Ｓが円形であって粘着面２２Ｓの形状と向きとは常に一定であることから、上述の実施形態とは異なり柱形領域、後端面２４Ｓ上のマーク等は設けられていない。そして、粘着性部材１２が、本体部２４の延びる方向を中心に回転した場合にあっても、回転の前後で粘着性部材１２の本体部２４に対する位置がずれたとはいえず、上述の実施形態のように位置ずれを防止することに意味がないため、取付け穴２２Ｈと突起部２４Ｐの断面形状はいずれも円形である（図１６（ａ）の正面図および図１７（ａ）の背面図参照）。
【００４０】
なお、粘着性部材１２、本体部１４の形状等は、上述のいずれの実施形態にも限定されない。例えば、第１の実施形態と同様に、他の実施形態においても、柱形領域１４Ｒを設けずにマーク１６を後端面１４Ｓに設け、粘着面１２Ｓの向き等が示されても良い。また、後端面１４Ｓにおいて、粘着面１２Ｓの向きのみが示されても良い。例えば、後端面１４Ｓに、粘着面１２Ｓにおける円弧領域１２Ｃが設けられている方向を示す矢印のマーク１６を設けて粘着面１２Ｓの向きのみを示すことによっても、予め粘着面１２Ｓの形状を把握しているユーザは清掃器具１０を効率的に操作できるからである。
【００４１】
また、取付け穴１２Ｈと突起部１４Ｐの形状についても、粘着性部材１２を本体部１４に対して唯一の取付け位置においてのみ取付け可能とし、取付け後の回転ずれを防止できる限り、上述の実施形態におけるＴ字型には限定されない。例えば、取付け穴１２Ｈと突起部１４Ｐの断面形状が台形、四辺の長さがいずれも異なる四角形、二等辺三角形、もしくは三辺の長さがいずれも異なる三角形等であっても良い。また、取付け穴１２Ｈと突起部１４Ｐとをそれぞれ複数設けて、粘着性部材１２の取付け位置を特定しても良い。
【００４２】
なお、清掃器具１０の形状、材質等についても本実施形態には限定されない。例えば、粘着面１２Ｓにおいて、円弧領域１２Ｃは半円、四分円以外の扇形、もしくは楕円弧の一部等であっても良い。矩形領域１２Ｒについても、正方形、もしくは互いに直交する２辺を有する四角形等であっても良い。そして矩形領域１２Ｒの辺が、円弧領域１２Ｃの輪郭における直線部分の一部とだけ重なり合っていても良い。また、粘着性部材１２は、ブチルゴムの他、粘着性を有するウレタン系樹脂、あるいはスチレンゴム系樹脂等で形成されていても良い。
【図面の簡単な説明】
【００４３】
【図１】第１の実施形態の清掃器具を示す斜視図および背面図である。
【図２】本実施形態における粘着性部材の粘着面を示す正面図である。
【図３】粘着性部材が取外された状態の本実施形態における本体部を示す正面図および側面図である。
【図４】本実施形態における粘着性部材の背面図と断面図である。
【図５】粘着性部材が取付けられた状態の本実施形態における清掃器具を示す側面図である。
【図６】清掃器具による清掃の対象となるデジタル一眼レフカメラを示す正面図である。
【図７】本体部の一部が変形された本実施形態の清掃器具を示す斜視図および背面図である。
【図８】粘着性部材が取外された状態の第２の実施形態における本体部を示す正面図および側面図である。
【図９】本実施形態における粘着性部材の背面図と断面図である。
【図１０】粘着性部材が取外された状態の第３の実施形態における本体部を示す正面図および側面図である。
【図１１】本実施形態における粘着性部材の背面図と断面図である。
【図１２】粘着性部材が取外された状態の第４の実施形態における本体部を示す正面図および側面図である。
【図１３】本実施形態における粘着性部材の背面図と断面図である。
【図１４】粘着性部材が取外された状態の第５の実施形態における本体部を示す正面図および側面図である。
【図１５】本実施形態における粘着性部材の背面図と断面図である。
【図１６】粘着性部材が取外された状態の従来例の本体部を示す正面図および側面図である。
【図１７】従来例における粘着性部材の背面図と断面図である。
【図１８】粘着性部材が取付けられた状態の従来例の清掃器具を示す側面図である。
【符号の説明】
【００４４】
１０  清掃器具（撮影装置用清掃器具）
１２  粘着性部材
１２Ｃ  円弧領域
１２Ｈ  取付け穴
１２Ｒ  矩形領域
１２Ｓ  粘着面
１４  本体部
１４Ｐ  突起部
１４Ｒ  柱形領域
１４Ｓ  後端面
１６  マーク（指標）
３０  デジタル一眼レフカメラ（撮影装置）
３２Ｓ  ＬＰＦ表面（被清掃面）
【図１】
2008018142.tif 000003
【図２】
2008018142.tif 000004
【図３】
2008018142.tif 000005
【図４】
2008018142.tif 000006
【図５】
2008018142.tif 000007
【図６】
2008018142.tif 000008
【図７】
2008018142.tif 000009
【図８】
2008018142.tif 000010
【図９】
2008018142.tif 000011
【図１０】
2008018142.tif 000012
【図１１】
2008018142.tif 000013
【図１２】
2008018142.tif 000014
【図１３】
2008018142.tif 000015
【図１４】
2008018142.tif 000016
【図１５】
2008018142.tif 000017
【図１６】
2008018142.tif 000018
【図１７】
2008018142.tif 000019
【図１８】
2008018142.tif 000020